(57)【要約】【課題】  高感度光ピックアップアクチュエータ及びそれを採用した光記録及び／または再生機器を提供すること。【解決手段】  ボビンの両側と対向し、第１極性を有する中間領域とその第１極性と反対になる第２極性を有する側面領域とを有する１対の磁石を含むディスクドライブのための光ピックアップアクチュエータ。光ピックアップアクチュエータは、磁石と対向するボビンの側面に位置する１対のトラッキングコイルを含む。各トラッキングコイルは２つの有効コイル部分を具備し、その２つの有効コイル部分のうち１つは前記磁石の中間領域と対向し、残りの有効コイル部分は前記磁石の側面領域のうち１つと対向し、より高感度を実現できる。磁石はボビンの両側に配置されてコスト及び製造の複雑性を下げうる。【選択図】  図２
2005149716.tif 000002
【特許請求の範囲】
【請求項１】
ボビンの両側面と対向し、第１極性を有する中間領域と前記第１極性と反対の第２極性を有する側面領域を有する１対の磁石と、
前記磁石と対向するボビンの側面に配置され、それぞれが２つの有効コイル部分を有し、前記２つの有効コイル部分のうち１つは前記磁石の中間領域と対向し、残りの有効コイル部分は前記磁石の側面領域のうち１つと対向する複数のトラッキングコイルと、を含むことを特徴とするディスクドライブのための光ピックアップアクチュエータ。
【請求項２】
前記磁石の領域はそれぞれディスクドライブのラジアル方向に沿う前記中間領域の相互反対側に位置した前記側面領域と共に長方形になることを特徴とする請求項１に記載の光ピックアップアクチュエータ。
【請求項３】
前記磁石が搭載されるベースと、
前記ボビンに搭載される対物レンズと、
前記ボビンをベースに対して移動可動に支持するサスペンションと、をさらに含むことを特徴とする請求項１に記載の光ピックアップアクチュエータ。
【請求項４】
前記ボビンの周りに巻き取られ、前記磁石の中間領域とそれぞれ対向する２つの有効コイル部分を有するフォーカスコイルをさらに含むことを特徴とする請求項１に記載の光ピックアップアクチュエータ。
【請求項５】
前記フォーカスコイルの各有効コイル部分の幅は前記磁石の中間領域の幅とほぼ同じであることを特徴とする請求項４に記載の光ピックアップアクチュエータ。
【請求項６】
前記フォーカスコイルと平行に前記フォーカスコイルの上方及び／または下方に位置するように取巻かれており、それぞれが前記磁石の中間領域と対向する有効コイル部分を有する複数のチルトコイルをさらに具備することを特徴とする請求項４に記載の光ピックアップアクチュエータ。
【請求項７】
前記磁石の側面領域のうち少なくとも１つは前記磁石の中間領域と噛み合う、延長されたブランチ部分を有することを特徴とする請求項１に記載の光ピックアップアクチュエータ。
【請求項８】
前記ボビンに巻き取られ、前記延びたブランチ部分と対向する第１有効コイル部分と、
前記延長されたブランチ部分と隣接する前記中間領域と対向する第２有効コイル部分を有するチルトコイルと、をさらに具備することを特徴とする請求項７に記載の光ピックアップアクチュエータ。
【請求項９】
前記側面領域それぞれは、Ｕ字型構造の共通領域を形成するように結合される延長されたブランチ領域を有することを特徴とする請求項１に記載の光ピックアップアクチュエータ。
【請求項１０】
前記磁石と対向するボビンの側面に配置され、それぞれが２つの有効コイル部分を有する複数のチルトコイルをさらに具備し、
前記２つの有効コイル部分のうち１つは前記磁石の中間領域と対向し、残りの有効コイル部分は前記磁石のＵ字型構造の共通領域と対向することを特徴とする請求項９に記載の光ピックアップアクチュエータ。
【請求項１１】
前記チルトコイルは前記磁石と対向するボビンの側面に前記磁石に前記トラッキングコイルよりさらに近く位置することを特徴とする請求項１０に記載の光ピックアップアクチュエータ。
【請求項１２】
前記チルトコイルは前記磁石と対向するボビンの側面に前記磁石から前記トラッキングコイルよりさらに遠く位置することを特徴とする請求項１０に記載の光ピックアップアクチュエータ。
【請求項１３】
前記ボビンの他の両側面と対向して位置する１対のチルト駆動用磁石と、
前記ボビンの他の両側面に配置され、前記チルト駆動用磁石と相互作用するように有効コイル部分を有する１対のチルトコイルと、をさらに含むことを特徴とする請求項１に記載の光ピックアップアクチュエータ。
【請求項１４】
光情報保存媒体に／から情報を記録及び／または再生する光ピックアップと、
前記光ピックアップの移動を制御するサーボと、
前記サーボにより制御することによって前記光ピックアップを動かす光ピックアップアクチュエータと、を具備し、
前記光ピックアップアクチュエータは、
ボビンの両側面と対向し、第１極性を有する中間領域と前記第１極性と反対の第２極性を有する側面領域を有する１対の磁石と、
前記磁石と対向するボビンの側面に配置され、それぞれが２つの有効コイル部分を有し、前記２つの有効コイル部分のうち１つは前記磁石の中間領域と対向し、残りの有効コイル部分は前記磁石の側面領域のうち１つと対向する複数のトラッキングコイルと、を含むことを特徴とする光記録及び／または再生機器。
【請求項１５】
前記磁石の領域はそれぞれディスクドライブの半径方向に沿う前記中間領域の相互反対側に位置した前記側面領域と共に長方形になることを特徴とする請求項１４に記載の光記録及び／または再生機器。
【請求項１６】
前記磁石が搭載されるベースと、
前記ボビンに搭載される対物レンズと、
前記ボビンをベースに対して移動可動に支持するサスペンションと、をさらに含むことを特徴とする請求項１４に記載の光記録及び／または再生機器。
【請求項１７】
前記ボビンの周りに巻き取られ、前記磁石の中間領域とそれぞれ対向する２つの有効コイル部分を有するフォーカスコイルをさらに含むことを特徴とする請求項１４に記載の光記録及び／または再生機器。
【請求項１８】
前記フォーカスコイルの各有効コイル部分の幅は前記磁石の中間領域の幅とほぼ同じであることを特徴とする請求項１７に記載の光記録及び／または再生機器。
【請求項１９】
前記フォーカスコイルと平行に前記フォーカスコイルの上方及び／または下方に位置するように取巻かれており、それぞれが前記磁石の中間領域と対向する有効コイル部分を有する複数のチルトコイルをさらに具備することを特徴とする請求項１７に記載の光記録及び／または再生機器。
【請求項２０】
前記磁石の側面領域のうち少なくとも１つは前記磁石の中間領域と噛み合う、延びたブランチ部分を有することを特徴とする請求項１４に記載の光記録及び／または再生機器。
【請求項２１】
前記ボビンに巻き取られ、前記延びたブランチ部分と対向する第１有効コイル部分と、
前記延長されたブランチ部分と隣接する前記中間領域と対向する第２有効コイル部分を有するチルトコイルと、をさらに具備することを特徴とする請求項２０に記載の光記録及び／または再生機器。
【請求項２２】
前記側面領域それぞれはＵ字型構造の共通領域を形成するように結合される、延長されたブランチ領域を有することを特徴とする請求項１４に記載の光記録及び／または再生機器。
【請求項２３】
前記磁石と対向するボビンの側面に配置され、それぞれが２つの有効コイル部分を有する複数のチルトコイルをさらに具備し、
前記２つの有効コイル部分のうち１つは前記磁石の中間領域と対向し、残りの有効コイル部分は前記磁石のＵ字型構造の共通領域と対向することを特徴とする請求項２２に記載の光記録及び／または再生機器。
【請求項２４】
前記チルトコイルは前記磁石と対向するボビンの側面に前記磁石に前記トラッキングコイルよりさらに近く位置することを特徴とする請求項２３に記載の光記録及び／または再生機器。
【請求項２５】
前記チルトコイルは前記磁石と対向するボビンの側面に前記磁石から前記トラッキングコイルよりさらに遠く位置することを特徴とする請求項２３に記載の光記録及び／または再生機器。
【請求項２６】
前記ボビンの他の両側面と対向して位置する１対のチルト駆動用磁石と、
前記ボビンの他の両側面に配置され、前記チルト駆動用磁石と相互作用するように有効コイル部分を有する１対のチルトコイルと、をさらに含むことを特徴とする請求項１４に記載の光記録及び／または再生機器。
【発明の詳細な説明】
【技術分野】
【０００１】
本発明は高感度のための有効コイル部分を有する光ピックアップアクチュエータ及びそれを採用した光記録及び／または再生機器に関する。
【背景技術】
【０００２】
光ピックアップは光気録及び／または再生機器に採用されて光情報保存媒体である光ディスクの半径方向に移動しつつ非接触式に光ディスクに対して情報の記録及び／または再生を行う装置である。
【０００３】
このような光ピックアップは光源から出射された光が光ディスク上の正しい位置に光スポットで形成されるように、対物レンズをトラッキング方向、フォーカス方向及び／またはチルト方向に駆動するアクチュエータを必要とする。ここで、トラッキング方向の駆動は光スポットがトラック中心に形成しうるように、対物レンズを光ディスクのラジアル方向すなわち半径方向に調整することをいう。
【０００４】
光ピックアップアクチュエータは、トラッキング方向とフォーカス方向の駆動、すなわち２軸駆動が基本である。近来には、高密度光保存機器の具現のために対物レンズの開口数が増加し、レーザー光源の波長が短くなって、光ピックアップアクチュエータのチルト方向のマージンが縮むことによって、それを補償するために、既存の２軸駆動、すなわちフォーカス方向及びトラッキング方向の駆動に付加してチルト方向、特にラジアルチルト方向の駆動まで可能な３軸駆動方式の光ピックアップアクチュエータが要求される。このようにフォーカス方向及びトラック方向の駆動に付加してチルト方向の駆動まで可能な３軸駆動方式の光ピックアップアクチュエータをチルト駆動の光ピックアップアクチュエータという。
【０００５】
チルト駆動の光ピックアップアクチュエータは、４面使用の磁気回路を設計する構造が一般的である。ここで、４面使用の磁気回路とは、ボビンの４つの側面に駆動コイル及び磁石を配置した構造をいう。
【０００６】
図１は、従来の光ピックアップアクチュエータの一例を概略的に示した斜視図である。
【０００７】
図面を参照すれば、従来のチルト駆動の光ピックアップアクチュエータは、対物レンズ１が搭載されるボビン２と、前記ボビン２をはじめとする可動部全体をベース５に対してフォーカス方向Ｆ及びトラッキング方向（Ｔ：すなわち、ラジアル方向）に動けるように一端部がボビン２に結合され、多端部がベース５に備えられたホルダ３に固定した複数のワイヤ６と、前記可動部を駆動するための４面使用の磁気回路を含んで構成される。
【０００８】
ワイヤ６の各対はフォーカス方向及びトラッキング方向それぞれに駆動のための電流印加通路として使われうる。図１では、チルト方向の駆動のための電流印加通路として使われるワイヤの図示は省略した。
【０００９】
従来の磁気回路は、前記ボビン２の外周面に設置されて前記対物レンズ１をフォーカス方向に駆動するフォーカスコイル４と、光ディスクのトラッキング方向に平行したボビン２の両側面にそれぞれ１対ずつ設置されるトラッキングコイル７ａ、７ｂと、光ディスクのラジアル方向にボビン２の両側面に設置される１対のチルトコイル９ａ、９ｂと、前記フォーカスコイル、トラッキングコイル及びチルトコイル４、７ａ、７ｂ、９ａ、９ｂに流れる電流との相互作用で前記可動部を駆動させるための電磁気力を発生させる磁石１０、１１及びヨーク１４、１５、１６を含んで構成される。
【００１０】
ここで、ヨーク１４、１６にはそれぞれフォーカス及びトラッキング駆動用の磁石１０とチルト駆動用磁石１１とが設置される。
【００１１】
ヨーク１４とヨーク１５はそれぞれフォーカス及びトラッキング駆動用の磁束をガイドするための外側ヨーク及び内側ヨークである。ヨーク１６は、チルト駆動用磁束をガイドするための外側ヨークである。
【００１２】
前記のような構成を有する従来のチルト駆動用の光ピックアップアクチュエータでは、フォーカスコイル４及びトラッキングコイル７ａ、７ｂに電流を印加すれば、前記フォーカスコイル４及びトラッキングコイル７ａ、７ｂに流れる電流と磁石１０から出てくる磁束の相互作用によりフォーカスコイル４及びトラッキングコイル７ａ、７ｂに電磁気力が作用し、これにより可動部全体がフォーカス方向Ｆ及びトラッキング方向Ｔに動くようになる。すなわち、ボビン２に搭載された対物レンズ１がフォーカス方向Ｆ及びトラッキング方向Ｔに動くようになる。
【００１３】
また、１対のチルトコイル９ａ、９ｂに相互反対方向に電磁気力が作用するように１対のチルトコイル９ａ、９ｂにそれぞれ電流を印加すれば、チルトコイル９ａ、９ｂに流れる電流と磁石１１から出てくる磁束の相互作用とにより、チルトコイル９ａ、９ｂに電磁気力が作用し、これにより可動部全体がラジアルチルト方向ＲＴに動くようになる。すなわち、ボビン２に搭載された対物レンズ１がラジアルチルト方向ＲＴに動くようになる。
【００１４】
ところが、前記のような従来の光ピックアップアクチュエータは、ほぼ方形に巻き取られたトラッキングコイルの一辺のみが有効トラッキングコイルとして使われるので、トラッキングコイルの活用度が低く、これによって、トラッキング感度が良くない短所がある。
【発明の開示】
【発明が解決しようとする課題】
【００１５】
本発明は前記のような点を勘案して案出されたものであって、優秀なトラッキング感度を実現できるように構造が改善された高感度光ピックアップアクチュエータ及びそれを採用した光記録及び／または再生機器を提供することをその目的としている。
【課題を解決するための手段】
【００１６】
前記目的を解決するための本発明による光ピックアップアクチュエータは、ボビンの両側面と対向し、第１極性を有する中間領域と前記第１極性と反対になる第２極性を有する側面領域とを有する１対の磁石と、前記磁石と対向するボビンの側面に配置され、それぞれが２つの有効コイル部分を有し、前記２つの有効コイル部分のうち１つは前記磁石の中間領域と対向し、残りの有効コイル部分は前記磁石の側面領域のうち１つと対向する複数のトラッキングコイルと、を含むことを特徴とする。
【００１７】
また、前記目的を解決するための本発明による光記録及び／または再生機器は、光情報保存媒体に記録された情報を再生及び／または情報を記録する光ピックアップと、前記光ピックアップの移動を制御するサーボと、前記サーボにより制御することによって、前記光ピックアップを動かす光ピックアップアクチュエータと、を具備し、前記光ピックアップアクチュエータは、ボビンの両側面と対向し、第１極性を有する中間領域と前記第１極性と反対になる第２極性を有する側面領域とを有する１対の磁石と、前記磁石と対向するボビンの側面に配置され、それぞれが２つの有効コイル部分を有し、前記２つの有効コイル部分のうち１つは前記磁石の中間領域と対向し、残りの有効コイル部分は前記磁石の側面領域のうち１つと対向する複数のトラッキングコイルと、を含むことを特徴とする。
【００１８】
前記磁石の領域はそれぞれディスクドライブのラジアル方向に沿う前記中間領域の相互反対側に位置した前記側面領域と共に長方形になりうる。
【００１９】
前記磁石が搭載されるベースと、前記ボビンに搭載される対物レンズと、前記ボビンをベースに対して移動可動に支持するサスペンションと、をさらに含みうる。
【００２０】
前記ボビンの周りに巻き取られ、前記磁石の中間領域とそれぞれ対向する２つの有効コイル部分を有するフォーカスコイルと、をさらに含みうる。
【００２１】
この時、前記フォーカスコイルの各有効コイル部分の幅は前記磁石の中間領域の幅とほぼ同じものが望ましい。
【００２２】
前記フォーカスコイルと平行に前記フォーカスコイルの上方及び／または下方に位置するように取巻かれており、それぞれが前記磁石の中間領域と対向する有効コイル部分を有する複数のチルトコイルと、をさらに具備できる。
【００２３】
一方、前記磁石の側面領域のうち少なくとも１つは、前記磁石の中間領域と噛み合う、延長されたブランチ部分を有しうる。
【００２４】
この時、前記ボビンに巻き取られ、前記延長されたブランチ部分と対向する第１有効コイル部分と、前記延長されたブランチ部分と隣接する前記中間領域と対向する第２有効コイル部分を有するチルトコイルと、をさらに具備できる。
【００２５】
前記側面領域それぞれは、Ｕ字状構造の共通領域を形成するように結合される、延長されたブランチ領域を有しうる。
【００２６】
この時、前記磁石と対向するボビンの側面に配置され、それぞれが２つの有効コイル部分を有する複数のチルトコイルをさらに具備し、前記２つの有効コイル部分のうち１つは
前記磁石の中間領域と対向し、残りの有効コイル部分は前記磁石のＵ磁石構造の共通領域と対向するように構成しうる。
【００２７】
一方、前記チルトコイルは、前記磁石と対向するボビンの側面に前記磁石に前記トラッキングコイルよりさらに近く位置しうる。
【００２８】
また、前記チルトコイルは、前記磁石と対向するボビンの側面に前記磁石から前記トラッキングコイルよりさらに遠く位置しうる。
【００２９】
前記ボビンの他の両側面と対向して位置する１対のチルト駆動用の磁石と、前記ボビンの他の両側面に配置され、前記チルト駆動用の磁石と相互作用するように有効コイル部分を有する１対のチルトコイルと、をさらに含むこともできる。
【発明の効果】
【００３０】
本発明によれば、トラッキングコイルの２辺をトラッキング制御に使用するので、高感度トラッキングを実現できる。
【発明を実施するための最良の形態】
【００３１】
以下、図面を参照しながら本発明を詳細に説明する。
【００３２】
図２は、本発明の望ましい一実施形態による光ピックアップアクチュエータを概略的に示した斜視図であり、図３は、図２の磁気回路のみを抜粋して示した斜視図であり、図４は、図２の磁気回路の配置関係を示した側面図、図５は、図２の磁気回路の配置関係を示した平面図である。
【００３３】
図面を参照すれば、本発明による光ピックアップアクチュエータは、対物レンズ３０が搭載されるボビン３１と、一端部がボビン３１に結合され、多端部がベース３３上の一側に備えられたホルダ３５に固定されてボビン３１をベース３３に対して移動可動に支持するサスペンション３７と、ボビン３１及びベース３３に設置される磁気回路と、を含んで構成される。
【００３４】
前記磁気回路は、ラジアル方向と平行したボビン３１の両側面３１ａ、３１ｂと対向するようにベース３３に設置される１対の磁石４０と、前記ボビン３１の周りに巻き取られたフォーカスコイル４５と、前記磁石４０と対向するボビン３１の側面に設置される複数のトラッキングコイル４７、４９を含む。また、前記磁気回路はチルトコイル４６、４８をさらに含みうる。
【００３５】
前記サスペンション３７は、トラッキング制御及びフォーカス制御のための電流印加用のワイヤとして使われ、４個が備わる。本発明の一実施形態による光ピックアップアクチュエータはチルト駆動用の電流を印加するための２個のワイヤ（図示せず）をさらに具備できる。
【００３６】
前記１対の磁石４０は、光情報保存媒体である光ディスクの接線方向にボビン３１の両側面３１ａ、３１ｂに対向するようにベース３３に設置される。１対の磁石４０のうち１磁石はボビンの一側面３１ａ、他の磁石はボビン３１の他の側面３１ｂと対向するようにベース３３に設置される。
【００３７】
各磁石４０は少なくとも一部領域がトラッキング方向Ｔに相互平行に配列された第１ないし第３磁石領域４１、４２、４３を具備し、前記第１及び第３磁石領域４１、４３がそれぞれ中央に位置した第２磁石領域４２と隣接し、第２磁石領域４２と反対極性に着磁される。
【００３８】
前記ボビン３１に向かう前記第２磁石領域４２の面がＮ極であれば、ボビン３１に向かう前記第１及び第３磁石領域４１、４３の面はＳ極になる。逆に、前記ボビン３１に向かう前記第２磁石領域４２の面がＳ極であれば、ボビン３１に向かう前記第１及び第３磁石領域４１、４３の面はＮ極になる。
【００３９】
図４を参照すれば、本発明の一実施形態において、前記第１ないし第３磁石領域４１、４２、４３はそれぞれ一字状構造を有し、前記磁石４０は３分極された構造を有する。
【００４０】
磁石４０を無限には大きくできない点を考慮する時、フォーカス感度の極大化のために、前記第２磁石領域４２は第１及び第３磁石領域４１、４３に比べて大きい幅を有するように形成することが望ましい。すなわち、前記第２磁石領域４２の幅は許容範囲内で最大化することが望ましい。
【００４１】
フォーカスコイル４５は、１対の磁石４０との相互作用によりアクチュエータの可動部全体をフォーカス方向に動かせる電磁気力が発生するように、ボビン３１の周りに取巻かれる。
【００４２】
このように、フォーカスコイル４５をボビン３１の周りに巻取り、１対の磁石４０をボビン３１のラジアル方向に沿った両側面３１ａ、３１ｂと対向するように配置する場合、フォーカスコイル４５は図５に斜線で示すように、前記１対の磁石４０と対向する２辺のコイル部分４５ａ、４５ｂが有効コイルとして使われる。一般的にコイルの有効コイル部分にはそのコイルを通じて流れる電流と磁石の磁場の相互作用とにより発生した電磁気力が作用する。
【００４３】
前記磁石４０の第１ないし第３磁石領域４１、４２、４３のうち第２磁石領域４２で発生した磁束とフォーカスコイル４５に流れる電流の相互作用とによりアクチュエータの稼動部がフォーカシング方向に駆動される。
【００４４】
したがって、前記フォーカスコイル４５は磁石４０と対向する辺の長さが前記第２磁石領域４２の幅に対応するように備えられることが望ましい。
【００４５】
上記のように、磁石４０の中央に位置した第２磁石領域４２の幅を許容範囲内で最大化し、フォーカスコイル４５の磁石４０と対向する辺の長さを第２磁石領域４２の幅と一致するようにフォーカスコイル４５を形成すれば、フォーカス感度を大きく高めうる。
【００４６】
もちろん、前記フォーカスコイル４５の磁石４０と対向する辺の長さは第２磁石領域４２の幅より小さいか、または大きく形成される場合もある。また、前記第１ないし第３磁石領域４１、４２、４３の幅は同一に形成される場合もある。
【００４７】
対物レンズ３０の中心軸線方向を上下方向、すなわちフォーカス方向（Ｆ方向）とし、光ディスクに近い側は上方、その反対側は下方とする時、前記フォーカスコイル４５の各磁石４０に対向するコイル部分４５ａ、４５ｂはそのフォーカスコイル４５に流れる電流と磁石４０で発生した磁束の相互作用とにより、フレミングの左手法則に基づいて上方または下方に電磁気力を受け、それによって本発明による光ピックアップアクチュエータの可動部全体が正（＋）フォーカス方向または負（−）フォーカス方向に動く。フォーカスコイル４５に流れる電流の方向を逆に変えれば、動く方向が逆になるので、印加電流の極性を転換して、動く方向を制御する。
【００４８】
また、図２及び図３を参照すれば、複数のトラッキングコイル４７、４９は磁石４０と対向するボビン３１の側面３１ａ、３１ｂに設置される。ボビン３１の一側面３１ａに１対のトラッキングコイル４７、４９、ボビン３１の他の側面３１ｂにも１対のトラッキングコイル４７、４９が設置される。すなわち、４個のトラッキングコイル４７、４９が使われる。
【００４９】
ボビン３１の両側面３１ａ、３１ｂでのトラッキング制御のための磁気回路部分の基本構成は同一である。図４を参照すれば、ボビン３１の各側面３１ａ、３１ｂに設置される１対のトラッキングコイル４７、４９のうち１トラッキングコイル４７は２つのコイル部分４７ａ、４７ｂがそれぞれ第１磁石領域４１と第２磁石領域４２に対向するように配置され、他のトラッキングコイル４９は２つのコイル部分４９ａ、４９ｂがそれぞれ第２磁石領域４２と第３磁石領域４３に対向するように配置される。
【００５０】
１トラッキングコイル４７の右側コイル部分４７ｂと他のトラッキングコイル４９の左側コイル部分４９ａとはボビン３１側に向かう面が、例えばＮ極に着磁された第２磁石領域４２で発生した磁束と相互作用し、１トラッキングコイル４７の左側コイル部分４７ａと他のトラッキングコイル４９の右側コイル部分４９ｂとはそれぞれボビン３１側に向かう面が相互同一に、例えばＳ極に着磁された第１及び第３磁石領域４１、４３で発生した磁束と相互作用する。
【００５１】
したがって、１対のトラッキングコイル４７、４９は、それに相互反対方向に電流が流れ、結果的に同一方向に電磁気力を受けるように、巻取り及び配置される。
【００５２】
ここで、前記トラッキングコイル４７、４９は、銅線を巻いて得られたバルク型コイル及び微細パターンコイル（ＦＰＣ：Ｆｉｎｅ Ｐａｔｔｅｒｎ Ｃｏｉｌ）のうち何れでも使用できる。また、トラッキングコイル４７、４９としてバルク型コイルを使用する場合には、このバルク型コイルをボビン３１に、直接、巻き取るか、または予め巻き取られたバルク型コイルをボビン３１の両側面３１ａ、３１ｂに付着できる。バルク型コイルをボビン３１に、直接、巻き取る場合には、ボビン３１の両側面にトラッキングコイル４７、４９を巻き取るためのリール構造が必要であるが、それは図２及び図３に示したボビン３１を簡単に変形することにより得られるので、これについての図示は省略する。
【００５３】
磁石４０に対して前記のように、トラッキングコイル４７、４９を配置すれば、トラッキングコイル４７、４９の２辺が有効コイルとして使われる。したがって、従来の光ピックアップアクチュエータではトラッキングコイルの約１／４のみが有効コイルとして使われたが、本願発明ではトラッキングコイル４７、４９の約１／２が有効コイルとして使われて、トラッキング感度が従来に比べて少なくとも２倍以上良くなる。
【００５４】
したがって、本発明の一実施形態形態による光ピックアップアクチュエータによれば、高感度トラッキングを実現できる。
【００５５】
一方、本発明の一実施形態形態による光ピックアップアクチュエータの磁気回路は、前記のように複数のチルトコイル４６、４８をさらに具備できる。
【００５６】
本発明の一実施形態形態において、前記複数のチルトコイル４６、４８はフォーカスコイル４５と平行した巻取り構造を有し、フォーカスコイル４５の上方及び／または下方に位置する。図２ないし図４では、４個のチルトコイル４６、４８がフォーカスコイル４５より上方に位置し、１対のチルトコイル４６、４８が各磁石４０と対向するように配置された例を示す。
【００５７】
必要に応じて、チルトコイル４６、４８の数及び設置位置は変更されうる。すなわち、チルトコイル４６、４８はフォーカスコイル４５の下方に設置されるか、またはフォーカスコイル４５の上方及び下方に共に設置される場合もある。
【００５８】
上記のように、各磁石４０と２個のチルトコイル４６、４８とが対向するようになった構造である場合、図５に示すように、前記チルトコイル４６、４８は有効コイルとして使われるその一辺４６ａ、４８ａが磁石４０の第２磁石領域４２と対向するように配置することが望ましい。
【００５９】
例えば、ラジアルチルト方向ＲＴへの制御のみを考慮すれば、複数のチルトコイル４６、４８は各磁石４０と対向する１対のチルトコイルのうち１チルトコイルが上方に力を受け、他のチルトコイルが下方に電磁気力を受けるように取巻かれる。図２及び図３では、４個のチルトコイル４６、４８がボビン３１に、直接、巻き取られたバルク型コイルである例を示すが、その代りにチルトコイル４６、４８に予め巻き取られたバルク型コイルを使用して、ボビンの上面に付着することも可能である。また、チルトコイル４６、４８として微細パターンコイルを使用することもある。
【００６０】
前記のように配置された複数のチルトコイル４６、４８に電流を印加すれば、アクチュエータの可動部全体が、例えば＋ラジアルチルト方向＋ＲＴに動き、反対方向の電流を印加すれば、アクチュエータの可動部全体が−ラジアルチルト方向−ＲＴに動く。
【００６１】
前記のように、磁石４０の第２磁石領域４２とその一辺が対向するように複数のチルトコイル４６、４８をフォーカスコイル４５の上方及び／または下方に位置させれば、ラジアルチルト方向ＲＴにアクチュエータの可動部全体を動かせる。
【００６２】
このように、ラジアルチルト方向の駆動が可能にチルトコイル４６、４８を具備する場合、本発明の一実施形態形態による光ピックアップアクチュエータは３軸駆動のアクチュエータになる。
【００６３】
したがって、本発明の一実施形態形態による光ピックアップアクチュエータは高感度トラッキングを実現できる２軸駆動のアクチュエータとして使用しうるか、またはラジアルチルト方向の駆動が可能な３軸駆動のアクチュエータとして使用しうる。
【００６４】
以下、本発明による光ピックアップアクチュエータの他の実施形態形態について説明する。
【００６５】
本発明の他の実施形態形態による光ピックアップアクチュエータは本発明の一実施形態形態による光ピックアップアクチュエータと比較する時、磁気回路にのみ差があり、残りの構成には実質的な差がほとんどないので、以下では磁気回路のみを抜粋した一図面を参照で本発明の他の実施形態形態による光ピックアップアクチュエータを説明し、本発明の一実施形態形態による光ピックアップアクチュエータと実質的に同一機能をする部材に対する反復的な説明及び図示は可能な限り省略する。
【００６６】
図６は、本発明の他の実施形態形態による光ピックアップアクチュエータの磁気回路を示した斜視図であり、図７は、図６の磁気回路の配置関係を示した側面図である。
【００６７】
本発明の他の実施形態形態において、磁気回路はラジアル方向と平行したボビン３１の両側面３１ａ、３１ｂと対向するようにベース３３に設置される１対の磁石１４０と、前記ボビン３１の周りに巻き取られたフォーカスコイル１４５と、前記磁石１４０と対向するボビン３１の側面に設置される複数のトラッキングコイル１４７、１４９と、前記フォーカスコイル１４５と平行に巻き取られたチルトコイル１４６と、を含む。
【００６８】
前記１対の磁石１４０は、光情報保存媒体である光ディスクの接線方向にボビン３１の両側面３１ａ、３１ｂに対向するようにベース３３に設置される。１対の磁石１４０のうち１磁石はボビンの一側面３１ａ、他の磁石はボビン３１の他の側面３１ｂと対向するようにベース３３に設置される。
【００６９】
各磁石１４０は少なくとも一部領域がトラッキング方向Ｔに相互平行に配列された第１ないし第３磁石領域１４１、１４２、１４３を具備し、前記第１及び第３磁石領域１４１、１４３がそれぞれ中央に位置した第２磁石領域１４２と隣接し、第２磁石領域１４２と反対極性に着磁される。
【００７０】
本発明の他の実施形態形態において、前記磁石１４０は第３磁石領域１４３の一端部がトラッキング方向Ｔに延長されたブランチ形状であり、第２磁石領域１４２がそれに噛み合う形状になる３分極された構造を有しうる。
【００７１】
図６では、１対の磁石１４０がブランチ形状の磁石領域が接線方向軸に対して相互対称変換である位置関係に配置されるべきことを示すために、後述するような外側ヨークの図示を、便宜上省略したが、本実施形態形態の磁気回路は後述するような外側ヨークを具備することが望ましい。
【００７２】
本発明の他の実施形態形態において、フォーカスコイル１４５及びトラッキングコイル１４７、１４９と対向する第１ないし第３磁石領域１４１、１４２、１４３の部分Ａはラジアル方向に相互平行に配列された構造をなし、第２磁石領域１４２の幅、フォーカスコイル１４５の有効コイルとして使われる辺の長さ及び第１ないし第３磁石領域１４１、１４２、１４３とトラッキングコイル１４７、１４９との配置関係は以前の実施形態形態の場合と実質的に同一としうる。
【００７３】
また、本発明の他の実施形態形態において、フォーカスコイル１４５及びトラッキングコイル１４７、１４９の配置及び巻取り構造は、図４及び図７の比較により分かるように、本発明の一実施形態形態の場合と実質的に同一であり、単にフォーカス方向に沿ったフォーカスコイル１４５及びトラッキングコイル１４７、１４９の設置位置のみ差を出すことができる。ここで、フォーカス方向に沿ったフォーカスコイル１４５及びトラッキングコイル１４７、１４９の設置高さが異なる理由は、チルトコイル１４６の設置位置の差に起因する。チルトコイル１４６の設置位置によってフォーカス方向に沿ったフォーカスコイル１４５及びトラッキングコイル１４７、１４９の設置位置は異なるものとしうる。
【００７４】
したがって、本発明の他の実施形態形態による光ピックアップアクチュエータは、本発明の一実施形態形態の場合と同一または類似にフォーカス感度をより良くでき、高感度トラッキング駆動を実現できる。
【００７５】
一方、図７では、第１磁石領域１４１は一字状であり、第３磁石領域１４３の下端部１４３ａがトラッキング方向に延長されたブランチ形状であり、第２磁石領域１４２がそれに噛み合う形状で形成され、第３磁石領域１４３の延長部分１４３ａ及び第２磁石領域１４２と対向するようにフォーカスコイル１４５の下方に単一チルトコイル１４６が配置された例を示す。
【００７６】
図７のように、第３磁石領域１４３の下端部１４３ａがトラッキング方向に延長されたブランチ形状である場合、単一チルトコイル１４６のチルト制御に使われる有効コイル部分のうち一部分１４６ａは第２磁石領域１４２と対向し、残りの部分１４６ｂは前記第３磁石領域１４３の延長部分１４３ａと対向するように、フォーカスコイル１４５の下方に位置する。
【００７７】
この時、チルトコイル１４６は、フォーカスコイル１４５と平行にボビン３１の周りに取巻かれるので、磁石１４０と対向するチルトコイル１４６の２辺が有効コイルとして使われる。すなわち、チルトコイル１４６の２辺がボビン３１の両側面３１ａ、３１ｂにそれぞれ配置された磁石１４０とそれぞれ対向する。
【００７８】
したがって、本発明の一実施形態形態ではチルトコイル４６、４８のほぼ１／４程度を有効コイルとして使用したが、本実施形態形態ではチルトコイル１４６のほぼ１／２程度を有効コイルとして使用できる。
【００７９】
したがって、本発明の一実施形態形態の場合とチルトコイルの全長が同一であるとする時、有効コイルとして使われるコイル長が本発明の一実施形態形態の場合より長くなるので、効率が増大してチルト制御感度をより良くしうる。
【００８０】
また、チルトコイル１４６をフォーカスコイル１４５と同じ構造で設置することによって、磁石１４０の磁束密度が大きい前面部にチルトコイル１４６の有効コイルが位置するので、高感度のチルト駆動を実現できる。
【００８１】
一方、本実施形態形態でチルト制御に関連した磁気回路部分は、前記チルトコイル１４６でチルト制御に使われる有効コイル部分のうち一部分１４６ａが第２磁石領域１４２と対向し、残りの部分１４６ｂが第３磁石領域１４３の延長部分１４３ａと対向して、チルトコイル１４６が位置する磁石１４０の部分が左右２分極になっている。
【００８２】
したがって、チルトコイル１４６の有効コイルとして使われる一辺に作用する磁束の方向は、一辺の両側で相互逆になり、相互反対の電磁気力が生成される。
【００８３】
すなわち、前記チルトコイル１４６に電流を印加すれば、図８Ａに示すように、前記一部分１４６ａに上方に電磁気力が作用し、前記残りの部分１４６ｂは下方に電磁気力が作用する。そして、チルトコイル１４６に印加する電流の方向を逆に変えれば、図８Ｂに示すように、前記一部分１４６ａと残りの部分１４６ｂとに作用する電磁気力の方向が逆になる。したがって、ラジアルチルト方向にアクチュエータの可動部全体を動かせる。
【００８４】
このように、本実施形態では、ラジアルチルト駆動に使われる磁石部分（第３磁石領域１４３の延長部分１４３ａとそれに合致する第２磁石領域１４２部分）が非対称である分極構造であるので、チルトコイル１４６の磁石１４０と対向するコイル部分をチルト駆動に全部使用できて、より高いチルト感度の具現が可能である。
【００８５】
以上では、図６及び図７を参照して、第３磁石領域１４３の下端付加トラッキング方向に延長され、それに合致するように第２磁石領域１４２が形成されたものと説明したが、それは単なる例示に過ぎない。
【００８６】
すなわち、本発明の他の実施形態による光ピックアップアクチュエータにおいて、第３磁石領域１４３は一字状であり、第１磁石領域１４１の下端付加トラッキング方向に延長されたブランチ形状であり、第２磁石領域１４２はそれに噛み合う形状としうる。この場合にも、チルトコイル１４６はフォーカスコイル１４５の下方に位置する。
【００８７】
また、第１または第３磁石領域１４１、１４３の上端部をトラッキング方向に延長されたブランチ形状で形成し、第２磁石領域１４２をそれに噛み合う形状で形成することもある。この場合、チルトコイル１４６はフォーカスコイル１４５の上方に位置する。
【００８８】
また、第１及び第３磁石領域１４１、１４３のうち何れか１磁石領域の上端部と他の磁石領域の下端部とをトラッキング方向に延長されたブランチ形状で形成し、第２磁石領域１４２をそれに噛み合う形状で形成し、チルトコイル１４６をフォーカスコイル１４５の上方及び下方にそれぞれ位置させることも可能である。
【００８９】
このように、前記磁石１４０は前記第１及び第３磁石領域１４１、１４３のうち少なくとも１つの一端部がトラッキング方向に延長されたブランチ形状である多様な構造で変形でき、チルトコイル１４６はフォーカスコイル１４５と実質的に同じ巻取り構造を有し、フォーカスコイル１４５の上方及び／または下方に位置する。
【００９０】
このような、磁石１４０の多様な変形及びそれに対応するチルトコイル１４６の配置は、図６及び図７の図示から十分に類推できるものであり、ラジアルチルト駆動原理も実質的に相互同一なので、これに対する図示及びより詳細なる説明は省略する。
【００９１】
図６及び図７を参照して説明したような磁気回路を具備した本発明の他の実施形態による光ピックアップアクチュエータは、フォーカス感度が大きく改善され、高感度トラッキングの具現が可能であるだけではなく、高感度チルトの具現も可能である。
【００９２】
図９は、本発明のさらに他の実施形態による光ピックアップアクチュエータの磁気回路を示した斜視図であり、図１０は、図９の一部分のみを抜粋して示した斜視図であり、図１１は、図９の磁気回路の配置関係を示した側面図である。
【００９３】
本発明のさらに他の実施形態において、磁気回路はラジアル方向と平行したボビン３１の両側面３１ａ、３１ｂと対向するようにベース３３に設置される１対の磁石２４０と、前記ボビン３１の周りに巻き取られたフォーカスコイル２４５と、前記磁石２４０と対向するボビン３１の側面に設置される複数のトラッキングコイル２４７、２４９と、前記トラッキングコイル２４７、２４９と同様にボビン３１の側面に設置された複数のチルトコイル２４６、２４８と、を含む。
【００９４】
前記１対の磁石２４０は、光情報保存媒体である光ディスクの接線方向にボビン３１の両側面３１ａ、３１ｂに対向するようにベース３３に設置される。１対の磁石２４０のうち１磁石はボビン３１の一側面３１ａ、他の磁石はボビン３１の他の側面３１ｂと対向するようにベース３３に設置される。
【００９５】
各磁石２４０は少なくとも一部領域がトラッキング方向Ｔに相互平行に配列された第１ないし第３磁石領域２４１、２４２、２４３を具備し、前記第１及び第３磁石領域２４１、２４３がそれぞれ中央に位置した第２磁石領域２４２と隣接し、第２磁石領域２４２と反対極性に着磁される。
【００９６】
図１１を参照すれば、本発明のさらに他の実施形態において、前記第１及び第３磁石領域２４１、２４３を含む単一磁石領域２４４は正方形のＵ字形または逆Ｕ字形構造をなす。図１１では、単一磁石領域２４４を第１及び第３磁石領域２４１、２４３に区分するために便宜上、点線Ｌを使用した。
【００９７】
ここで、前記第１及び第３磁石領域２４１、２４３はそれぞれＬ字形及び逆Ｌ字形をなし、第１及び第３磁石領域２４１、２４３の一端部が相互隣接して、全体がＵ字形または逆Ｕ字形構造をなすようになったことも可能である。
【００９８】
本発明のさらに他の実施形態においても、フォーカスコイル２４５及びトラッキングコイル２４７、２４９と対向する第１ないし第３磁石領域２４１、２４２、２４３部分Ｂは、ラジアル方向に相互平行に配列された構造をなし、第２磁石領域２４２の幅、フォーカスコイル２４５の有効コイルとして使われる辺の長さ及び第１ないし第３磁石領域２４１、２４２、２４３とトラッキングコイル２４７、２４９との配置関係は前記実施形態の場合と実質的に同一である。これは第１及び第３磁石領域２４１、２４３を含む磁石領域が単一磁石領域２４４よりなる場合にも同様である。
【００９９】
また、本発明のさらに他の実施形態においても、フォーカスコイル２４５及びトラッキングコイル２４７、２４９の配置及び巻取り構造は図７及び図１１の比較により分かるように、本発明の他の実施形態の場合と実質的に同一であり、フォーカス方向に沿ったフォーカスコイル２４５及びトラッキングコイル２４７、２４９の設置位置を本発明の他の実施形態の場合と同一にできる。
【０１００】
したがって、本発明のさらに他の実施形態による光ピックアップアクチュエータは、本発明の前記実施形態の場合と同一または類似するようにフォーカス感度をより良くでき、高感度トラッキングを実現できる。
【０１０１】
一方、前記複数のチルトコイル２４６、２４８はトラッキングコイル２４７、２４９と平行した巻取り構造を有する。図１０及び図１１では、４個のチルトコイル２４６、２４８が使われ、１対のチルトコイル２４６、２４８が各磁石２４０と対向するように配置された例を示す。必要に応じて、チルトコイル２４６、２４８の数は変更しうる。
【０１０２】
図１０及び図１１では、４個のチルトコイル２４６、２４８としてバルク型コイルを使用した例を示すが、その代りにチルトコイル２４６、２４８として微細パターンコイルを使用することもできる。
【０１０３】
本実施形態において、チルトコイル２４６、２４８はその上、下方の２辺が有効コイルとして使われる。チルトコイル２４６、２４８はその上方側の第１弁２４６ａ、２４８ａは第２磁石領域２４２と対向し、下方側の第２弁２４６ｂ、２４８ｂは単一磁石領域２４４と対向するように配置される。
【０１０４】
１チルトコイル２４６、２４８内で第１弁２４６ａ、２４８ａと第２弁２４６ｂ、２４８ｂには相互反対方向の磁束が影響を及ぼすが、第１弁２４６ａ、２４８ａに流れる電流の方向と第２弁２４６ｂ、２４８ｂに流れる電流の方向とが反対となる。したがって、チルトコイル２４６の第１及び第２弁２４６ａ、２４６ｂは同じ方向に電磁気力を受ける。また、チルトコイル２４８の第１及び第２弁２４８ａ、２４８ｂは同じ方向に電磁気力を受ける。
【０１０５】
したがって、各磁石２４０と対向する１対のチルトコイル２４６、２４８に相互反対の電流信号を印加すれば、１対のチルトコイル２４６、２４８のうち１チルトコイルは上方に電磁気力を受け、他のチルトコイルは下方に電磁気力を受ける。また、電流の極性を変えれば、電磁気力が逆に作用する。
【０１０６】
したがって、ラジアルチルト方向にアクチュエータ可動部の全体を動かせる。
【０１０７】
このように、本実施形態では、チルトコイル２４６、２４８が位置する部分では磁石２４０を上、下の２分極にし、チルトコイル２４６、２４８の２辺を有効コイルとして使用するので、チルトコイルの効率を２倍に高めうる。したがって、高感度チルト駆動を実現できる。
【０１０８】
また、磁石２４０の磁束密度の大きい前面部にチルトコイル２４６、２４８が位置するので、高感度のチルト駆動を実現できる。
【０１０９】
一方、前記のような構造の磁気回路の場合には、トラッキング感度をより高くする時には、トラッキングコイル２４７、２４９がチルトコイル２４６、２４８より磁石２４０と近くなるように、トラッキングコイル２４７、２４９をチルトコイル２４６、２４８の外側に位置づけうる。
【０１１０】
また、チルト制御感度をより高くする時には、チルトコイル２４６、２４８がトラッキングコイル２４７、２４９より磁石２４０と近くなるように、チルトコイル２４６、２４８をトラッキングコイル２４７、２４９の外側に位置づけうる。
【０１１１】
一方、以上で説明したような本発明の実施形態による光ピックアップアクチュエータで、磁石４０、１４０、２４０は面分極磁石であることが望ましいが、このような面分極磁石は、着磁コイルに電流を流して周辺に磁束を形成して着磁させる過程を通じて形成される。
【０１１２】
本発明において、前記磁石４０、１４０、２４０は着磁コイルが閉ループをなす閉ループ着磁方式により形成することが望ましい。このように閉ループ着磁方式を利用すれば、２つまたはそれ以上の磁石領域を同時に着磁させるだけではなく、相異なる方向に隣接して着磁される複数の磁石領域がほぼ類似した強度の磁束を発生しうる。
【０１１３】
このような、閉ループ着磁方式を利用して、前記磁石４０、１４０、２４０を形成すれば、第１ないし第３磁石領域は同時に着磁しうる。また、第１及び第３磁石領域で発生した磁束の強度が第２磁石領域で発生した磁束の強度とほぼ類似するようにできる。
【０１１４】
したがって、フォーカス制御を考慮して、第２磁石領域で十分な強度の磁束が発生するように磁石を着磁させることが当然であることを考慮する時、トラッキングコイルの両辺に作用する磁束の強度が何れも強くなるので、より良いトラッキング感度を得られる。また、本発明のさらに他の実施形態のように、チルト制御に第１及び第３磁石領域（または、単一磁石領域）及び第２磁石領域を何れも利用する場合には、チルトコイルの上、下の両辺に作用する磁束の強度が何れも強くなるので、より良いチルト感度を得られる。
【０１１５】
一方、以上で説明したような本発明の実施形態による光ピックアップアクチュエータは、図２、図３、図６及び図９に示すように、ベース１１に形成された１対の外側ヨーク３９をさらに具備することが望ましい。前記外側ヨーク３９はベース３３に形成される。前記磁石４０、１４０、２４０はその外側ヨーク３９に設置される。
【０１１６】
前記のような本発明の実施形態による光ピックアップアクチュエータは、２面使用の磁気回路に該当する構造である。それは本発明による光ピックアップアクチュエータがボビン３１の４つの側面のうち２個の側面３１ａ、３１ｂのみを磁気回路を配置するのに使用するためである。それとは別に、図１を参照で説明した従来の光ピックアップアクチュエータは、ボビン３１の４つの側面の全てを磁気回路を配置するのに使用する。
【０１１７】
前記のような２面使用の磁気回路を具備する本発明による光ピックアップアクチュエータは、４面使用の磁気回路を具備する従来の光ピックアップアクチュエータに比べて次のような付加的な利点がある。
【０１１８】
従来の光ピックアップアクチュエータは、コイルをボビンの４つの側面に設置し、総４個の独立した磁石がボビンの４つの側面と対向するようにベースに配置される４面使用の磁気回路を具備する構造であって、独立した磁石を４個も必要とするので、製造コストが高いのに比べて、本発明の２面使用の磁気回路を具備した光ピックアップアクチュエータは独立した磁石を２個のみ必要とするので、製造コストを大幅に低減しうる。
【０１１９】
また、従来のチルト駆動光ピックアップアクチュエータは、ボビンの４つの面に対向するように磁石が位置し、それに対応してトラッキングコイル及びチルトコイルもボビンの４つの面にそれぞれ位置するので、コイル間配線が複雑である一方、本発明の２面使用の磁気回路を具備した光ピックアップアクチュエータはコイル間配線がより簡略化しうる。
【０１２０】
一方、以上では本発明による光ピックアップアクチュエータが２面使用の磁気回路を具備する場合を例に挙げて説明及び図示したが、本発明による光ピックアップアクチュエータが必ずしもそれに限定されるものではない。
【０１２１】
すなわち、本発明による光ピックアップアクチュエータは、前記実施形態で説明した磁石４０、１４０、２４０のうち何れか１つを具備し、残りの構成は多様に変形しうる。
【０１２２】
例えば、本発明による光ピックアップアクチュエータは、図１に示す従来の光ピックアップアクチュエータと同様に、チルト駆動用の磁気回路を別途に具備する４面使用の磁気回路を具備することもできる。
【０１２３】
図１２を参照すれば、本発明のさらに他の実施形態による光ピックアップアクチュエータは、対物レンズ３０が搭載されるボビン３１と、前記ボビン３１をはじめとする可動部全体をベース３３に対してフォーカス方向Ｆ及びトラッキング方向Ｔに動かせるように一端部がボビン３１に結合され、他端部がベース３３に備えられたホルダ３５に固定した複数のサスペンション３７と、前記可動部を駆動するための４面使用の磁気回路と、を含んで構成される。
【０１２４】
可動部全体をベースに対して支持するサスペンション３７は４個備わる。図１２ではチルト方向の駆動のための電流印加通路として使われるワイヤの図示は省略した。
【０１２５】
前記磁気回路は、前記ボビン３１の外周面に設置されて前記対物レンズ３０をフォーカス方向に駆動するフォーカスコイル３４５と、光ディスクの接線方向にボビン３１の両側面にそれぞれ１対ずつ設置されるトラッキングコイル３４７、３４９と、光ディスクのラジアル方向にボビン３１の両側面に設置される１対のチルトコイル３４６、３４８と、前記フォーカスコイル３４５、トラッキングコイル３４７、３４９及びチルトコイル３４６、３４８に流れる電流との相互作用で前記可動部を駆動させるための電磁気力を発生させる磁石３４０、３５０及びヨーク３９、３３９、３５９を含んで構成される。光ディスクの接線方向にボビン３１の両側面に対向して配置された磁石３４０はフォーカシング及びトラッキング駆動に使われる磁石であり、光ディスクのラジアル方向にボビン３１の両側面に対向して配置された磁石３５０はチルト駆動に使われる磁石である。
【０１２６】
前記ヨーク３９、３５９にはそれぞれフォーカス及びトラッキング駆動用磁石３４０とチルト駆動用磁石３５０とが設置される。
【０１２７】
ヨーク３９とヨーク３３９とはそれぞれフォーカス及びトラッキング駆動用磁束をガイドするための外側ヨーク及び内側ヨークである。ヨーク３５９は、チルト駆動用磁束をガイドするための外側ヨークである。
【０１２８】
本実施形態において、フォーカシング及びトラッキング制御のための磁気回路部分の実質的な構成は前記本発明の実施形態と同一であり、チルト駆動のための磁気回路部分の構成のみ差が出る。
【０１２９】
図１２では、前記磁石３４０として本発明の一実施形態での磁石４０を使用した例を示す。
【０１３０】
この磁石３４０としては本発明の他の実施形態、またはさらに他の実施形態での磁石１４０、２４０を具備することもできるが、このような場合の光ピックアップアクチュエータの構造は前記から十分に類推できるので、その図示を省略する。
【０１３１】
また、前記磁石３４０として前記磁石４０、１４０、２４０のうち何れか１つを具備する場合、フォーカスコイル３４５及びトラッキングコイル３４７、３４９の構造及び配置と磁石３４０との関係、フォーカシング及びトラッキング駆動原理は前記実施形態の場合と実質的に同一である。したがって、フォーカシング及びトラッキング駆動原理についての反復的な説明は省略する。
【０１３２】
一方、１対のチルトコイル３４６、３４８に相互反対方向に電磁気力が作用するようにそれぞれ電流を印加すれば、可動部は、ラジアルチルト方向ＲＴに動く。すなわち、ボビン３１に搭載された対物レンズ３０がラジアルチルト方向ＲＴに動く。
【０１３３】
ここで、前記チルト駆動用磁石３５０は、上下の磁石領域の着磁方向が相互反対である２分極磁石であり、チルトコイル３４６、３４８の上方に位置した辺及び下方に位置した辺が両方とも有効チルトコイルとして使われる。この時、前記チルト駆動用磁石３５０も面分極磁石であり、閉ループ着磁方式により着磁されることが望ましい。
【０１３４】
図１２に示すような本発明のさらに他の実施形態による光ピックアップアクチュエータは、４面使用である短所があるが、フォーカシング及びトラッキング制御のための磁気回路部分の構成は前記実施形態と同一なので、前記実施形態でのようにフォーカス感度をより良くでき、高感度トラッキングを実現できる。
【０１３５】
図１３は、本発明による光ピックアップアクチュエータを採用した光記録及び／または再生機器の構成を概略的に示した図面である。
【０１３６】
図１３を参照すれば、光記録及び／または再生機器は光情報保存媒体、例えば光ディスクＤを回転させるためのスピンドルモーター４５５と、前記光ディスクＤの半径方向に移動可能に設置されて光ディスクに／から情報を記録及び／または再生する光ピックアップ４５０と、スピンドルモーター４５５と光ピックアップ４５０とを駆動するための駆動部４５７と、光ピックアップ４５０のフォーカス、トラッキング及び／またはチルトサーボを制御するための制御部４５９と、を含む。ここで、４５２はターンテーブル、４５３は光ディスクＤをチャッキングするためのクランプを示す。
【０１３７】
光ピックアップ４５０は光源から出射された光を光ディスクＤに集束させる対物レンズ３０を含む光ピックアップ光学系と、この対物レンズ３０を駆動するための光ピックアップアクチュエータと、を含む。前記光ピックアップアクチュエータとしては前記本発明の多様な実施形態による光ピックアップアクチュエータのうち何れか１つを具備する。
【０１３８】
光ディスクＤから反射された光は光ピックアップ４５０に備えられた光検出器を通じて検出されて光電変換されて電気的信号に変わり、この電気的信号は駆動部４５７を通じて制御部４５９に入力される。前記駆動部４５７はスピンドルモーター４５５の回転速度を制御し、入力された信号を増幅させ、光ピックアップ４５０を駆動する。前記制御部４５９は駆動部４５７から入力された信号に基づいて調節されたフォーカスサーボ、トラッキングサーボ及び／またはチルトサーボ命令をさらに駆動部４５７に送り、光ピックアップ４５０のフォーカシング、トラッキング及び／またはチルトサーボ動作を具現させる。
【産業上の利用可能性】
【０１３９】
本発明による光ピックアップアクチュエータは、光ディスクドライブに光ピックアップの対物レンズを駆動するために適用されうる。
【図面の簡単な説明】
【０１４０】
【図１】従来の光ピックアップアクチュエータの一例を概略的に示した平面図である。
【図２】本発明の望ましい一実施形態による光ピックアップアクチュエータを概略的に示した斜視図である。
【図３】図２の磁気回路のみを抜粋して示した斜視図である。
【図４】図２の磁気回路の配置関係を示した側面図である。
【図５】図２の磁気回路の配置関係を示した平面図である。
【図６】本発明の他の実施形態による光ピックアップアクチュエータの磁気回路を示した斜視図である。
【図７】図６の磁気回路の配置関係を示した側面図である。
【図８Ａ】図６の磁気回路でのチルト駆動原理を説明する図面である。
【図８Ｂ】図６の磁気回路でのチルト駆動原理を説明する図面である。
【図９】本発明のさらに他の実施形態による光ピックアップアクチュエータの磁気回路を示した斜視図である。
【図１０】図９の一部分のみを抜粋して示した斜視図である。
【図１１】図９の磁気回路の配置関係を示した側面図である。
【図１２】本発明のさらに他の実施形態による光ピックアップアクチュエータの磁気回路を示した斜視図である。
【図１３】本発明による光ピックアップアクチュエータを採用した光記録及び／または再生機器の構成を概略的に示した図面である。
【符号の説明】
【０１４１】
３０  対物レンズ
３１  ボビン
３１ａ、３１ｂ  ボビンの両側面
３３  ベース
３５  ホルダ
３７  サスペンション
３９  外側ヨーク
４０  磁石
４１、４２、４３  第１〜第３磁石領域
４５  フォーカスコイル
４５ａ、４５ｂ  コイル部分
４６、４８  チルトコイル
４６ａ  チルトコイルの一辺
４７、４９    トラッキングコイル
４７ａ  左側コイル部分
４７ｂ  右側コイル部分
４８ａ  チルトコイルの一辺
４９ａ、４９ｂ  コイル部分
１４０  一対の磁石
１４１、１４２、１４３  第１〜第３磁石領域
１４３ａ  第３磁石領域の下端部（延長部分）
１４５  フォーカスコイル
１４６  チルトコイル
１４６ａ  有効コイル部分のうちの一部分
１４６ｂ  残りの部分
１４７、１４９  トラッキングコイル
２４０  一対の磁石
２４１、２４２、２４３  第１〜第３磁石領域
２４４  単一磁石領域
２４５  フォーカスコイル
２４６、２４８  チルトコイル
２４６ａ、２４８ｂ  第１弁
２４６ｂ、２４８ｂ  第２弁
２４７、２４９  トラッキングコイル
Ａ、Ｂ  第１〜第３磁石領域の部分
Ｆ  フォーカス方向
Ｌ  点線
Ｎ  Ｎ極
ＲＴ  ラジアルチルト方向
Ｓ  Ｓ極
Ｔ  トラッキング方向
【図１】
2005149716.tif 000003
【図２】
2005149716.tif 000004
【図３】
2005149716.tif 000005
【図４】
2005149716.tif 000006
【図５】
2005149716.tif 000007
【図６】
2005149716.tif 000008
【図７】
2005149716.tif 000009
【図８Ａ】
2005149716.tif 000010
【図８Ｂ】
2005149716.tif 000011
【図９】
2005149716.tif 000012
【図１０】
2005149716.tif 000013
【図１１】
2005149716.tif 000014
【図１２】
2005149716.tif 000015
【図１３】
2005149716.tif 000016